【手続補正書】
【提出日】平成16年5月7日(2004.5.7)
【手続補正１】
【補正対象書類名】特許請求の範囲
【補正対象項目名】全文
【補正方法】変更
【補正の内容】
【特許請求の範囲】
【請求項１】
混合カットされた宝石であって、
ガードル平面内のガードルと、
前記ガードルの上方のクラウンと、
前記ガードルの下方のパビリオンと、
キューレットとを備えていて、
前記クラウンは、ガードル分岐点とテーブル分岐点とテーブルとを備え、前記テーブル分岐点は、三角形の形状のファセットにカットされていて、前記ガードル分岐点は、三角形及び四辺形の形状のファセットにカットされていて、
前記パビリオンは、２対の対向するパビリオン側部と４つのパビリオンコーナーとによって形成された幅と長さを有していて、
前記パビリオンは、４つの段部を備えていて、この４つの段部は、
前記ガードルと第１段部ファセット接合部とに隣接する第１段部と、
前記第１段部ファセット接合部と第２段部ファセット接合部とに隣接する第２段部と、
前記第２段部ファセット接合部と第３段部ファセット接合部とに隣接する第３段部と、
前記第３段部ファセット接合部と前記キューレットとに隣接する第４段部とを有し、
前記第１段部、第２段部、第３段部、そして第４段部は、複数のファセットを備え、第１段部のこれらのファセットは、少なくとも１つのファセットによる第２段部のこれらのファセットより大きい混合カットされた宝石。
【請求項２】
混合カットされた宝石であって、
ガードルと、前記ガードルの上方のクラウンとを備え、
前記クラウンは、ガードル分岐点、テーブル分岐点、そしてテーブルを有し、
前記テーブル分岐点は、三角形の形状のファセットにカットされていて、
前記ガードル分岐点は、三角形および四辺形の形状のファセットにカットされていて、
前記ガードルの下方に備えられ、２対の対向するパビリオン側部と４つのパビリオンコーナーとによって形成された幅と長さを有し、そして少なくとも２つの段部を備えているパビリオンを有し、
前記少なくとも２つの段部は、
前記ガードルと第１段部ファセット接合部とに隣接する第１段部と、
前記第１段部ファセット接合部とキューレットに隣接する第２段部、又はそれ以上の前記少なくと２つの段部とを含み、
前記各段部の少なくとも２つの段部は、複数のファセットを有し、
前記第１段部のこれらのファセットは、少なくとも１つのファセットにより前記少なくとも２つの段部の前記第２または、それ以上の前記複数のファセットより大きい混合カットされた宝石。
【請求項３】
前記キューレットは、実質的に点の形状である請求項１の混合カットされた宝石。
【請求項４】
前記キューレットは、実質的に前記テーブルに平行な正方形のファセットの形状である請求項１の混合カットされた宝石。
【請求項５】
前記クラウンは、２６°と３０°の間のクラウン角度を有している請求項１の混合カットされた宝石。
【請求項６】
前記クラウンは、２８°のクラウン角度を有している請求項１の混合カットされた宝石。
【請求項７】
前記クラウンは、９％と１１％の間の深さを有している請求項１の混合カットされた宝石。
【請求項８】
前記ガードルは幅を有していて、前記テーブルは幅とその幅によって画定される寸法とを有していて、前記テーブルの寸法はガードルでのクラウンの幅の６０％と６５％の間である請求項１の混合カットされた宝石。
【請求項９】
前記ガードルは幅を有していて、前記テーブルは幅とその幅によって画定される寸法とを有していて、前記テーブルの寸法はガードルでのクラウンの幅の６２％である請求項１の混合カットされた宝石。
【請求項１０】
前記テーブルは、８角形である請求項１の混合カットされた宝石。
【請求項１１】
前記パビリオンは、５５°と６０°の間のパビリオン角度を有している請求項１の混合カットされた宝石。
【請求項１２】
前記パビリオンは、５７°のパビリオン角度を有している請求項１の混合カットされた宝石。
【請求項１３】
前記パビリオンは、４５％と４７％の間のパビリオン深さを有している請求項１の混合カットされた宝石。
【請求項１４】
前記パビリオンの第1段部は、前記パビリオンの全体の深さの３分の１を備えていて、前記第１段部と前記キューレットとの間のパビリオン段部は、一体になって前記パビリオンの深さの３分の２を作り上げている請求項２の混合カットされた宝石。
【請求項１５】
前記第１のパビリオン段部を除いた前記パビリオン段部は、同一の深さである請求項１４の混合カットされた宝石。
【請求項１６】
前記パビリオンの第１段部は、前記パビリオンの全体の深さの３分の１を備えていて、前記パビリオンの第２、第３および第４の段部は、一体になって前記パビリオンの全体の深さの３分の２を備えている請求項１の混合カットされた宝石。
【請求項１７】
前記パビリオンの第２、第３および第４の段部は、同一の長さである請求項１６の混合カットされた宝石。
【請求項１８】
第１のパビリオン段部は、８つ以上のファセットを備えている請求項１の混合カットされた宝石。
【請求項１９】
第１のパビリオン段部は、２４のファセットを備えている請求項１の混合カットされた宝石。
【請求項２０】
パビリオン側部に対向する前記各第１のパビリオン段部と前記第１のパビリオン段部の前記パビリオンコーナーとは、複数のファセットを備えている請求項１の混合カットされた宝石。
【請求項２１】
前記第１のパビリオン段部は、
前記対の対向するパビリオン側部に３つのファセットと、
前記各４つのパビリオンコーナーに３つのファセットとをさらに備えた請求項１の混合カットされた宝石。
【請求項２２】
前記対の対向するパビリオン側部の３つのファセットはさらに、
１つの側部主第１段部ファセットと、
２つの側部第１段部ファセットとを備えていて、
前記各４つのパビリオンコーナーの３つのファセットは、
１つの主コーナー第１段部ファセットと、
２つの側部コーナー第１段部ファセットとを備えている請求項２１の混合カットされた宝石。
【請求項２３】
前記各パビリオン第１段部ファセットは、三角形である請求項１の混合カットされた宝石。
【請求項２４】
前記全てのパビリオン第１段部の側部主ファセットと前記全てのパビリオン第１段部主コーナーファセットは、前記ガードル平面と５５°と６０°の間の角度を形成している請求項２２の混合カットされた宝石。
【請求項２５】
前記全てのパビリオン第１段部の側部主ファセットと前記全てのパビリオン第１段部の主コーナーファセットは、前記ガードル平面と５７°の角度を形成している請求項２２の混合カットされた宝石。
【請求項２６】
前記各パビリオン側部第１段部ファセットは、前記ガードル平面と５６°と５７°の間の角度を形成している請求項２２の混合カットされた宝石。
【請求項２７】
前記各パビリオン側部第１段部ファセットは、前記ガードル平面と、前期主コーナー第１段部ファセットおよび前記主側部第１段部ファセットと前記ガードル平面との交差部より小さい１°と２°の間の角度を形成している請求項２２の混合カットされた宝石。
【請求項２８】
前記側部コーナー第１段部ファセットは、前記ガードル平面と、前記各主コーナー第１段部ファセットおよび前記ガードル平面とによって形成された角度より小さい１／２°と１°の間の角度を形成している請求項２２の混合カットされた宝石。
【請求項２９】
前記クラウン三角形状のファセットは、
前記テーブルに隣接する８つのスターファセットと、
前記ガードルに隣接する８つのクラウン側部上方ガードルファセットと、
前記ガードルに隣接する８つのクラウンコーナー上方ガードルファセットとを備えていて、
前記四辺形形状のファセットは、
４つの主クラウンファセットと、
４つの主コーナークラウンファセットとを備えている請求項１の混合カットされた宝石。
【請求項３０】
前記クラウンコーナー上方ガードルファセットと前記各クラウン側部上方ガードルファセットとは、前記ガードル平面と２８°と３２°の間の角度を形成している請求項２９の混合カットされた宝石。
【請求項３１】
前記クラウンコーナー上方ガードルファセットと前記各クラウン側部上方ガードルファセットとは、前記ガードル平面と３０°の角度を形成している請求項２９の混合カットされた宝石。
【請求項３２】
前記各スターファセットは、前記ガードル平面と２５°と２９°の間の角度を形成している請求項２９の混合カットされた宝石。
【請求項３３】
前記各スターファセットは、前記ガードル平面と２７°の角度を形成している請求項２９の混合カットされた宝石。
【請求項３４】
前記各主クラウンファセットと前記各主コーナークラウンファセットとは、前記ガードル平面と２６°と３０°の間の角度を形成している請求項２９の混合カットされた宝石。
【請求項３５】
前記各主クラウンファセットと前記各主コーナークラウンファセットとは、前記ガードル平面と２８°の角度を形成している請求項２９の混合カットされた宝石。
【請求項３６】
前記第２のパビリオン段部と前記第３のパビリオン段部とは、４つのパビリオン主側部ファセットと４つのパビリオンコーナーファセットとを各備えている請求項１の混合カットされた宝石。
【請求項３７】
前記第４のパビリオン段部は４つのパビリオンファセットを備えている請求項１の混合カットされた宝石。
【請求項３８】
前記パビリオン主第１段部、前記パビリオン第２段部および前記パビリオン第３段部の前記ガードル平面と形成された角度は、１０°ずつ減少している請求項１の混合カットされた宝石。
【請求項３９】
前記パビリオン第２段部と前記パビリオン第３段部とは、
前記各対の対向するパビリオン側部上の１つのファセットと、
前記各４つのパビリオンコーナー上の１つのファセットとを備えている請求項１の混合カットされた宝石。
【請求項４０】
対向するパビリオン側部の前記第２段部対上のファセットと前記４つのパビリオンコーナーとは、前記ガードル平面と４５°と５０°の間の角度を各形成する請求項３９の混合カットされた宝石。
【請求項４１】
対向するパビリオン側部対の前記第２段部上のファセットと前記４つのパビリオンコーナーは、前記ガードル平面と４７°の角度を各形成する請求項３９の混合カットされた宝石。
【請求項４２】
対向するパビリオン側部対の前記第３段部上のファセットと前記４つのパビリオンコーナーとは、前記ガードル平面と３５°と４０°との間の角度を各形成している請求項３９の混合カットされた宝石。
【請求項４３】
対向する対のパビリオン側部前記第３段部上のファセットと前記４つのパビリオンコーナーとは、前記ガードル平面と３７°の角度を各形成している請求項３９の混合カットされた宝石。
【請求項４４】
前記パビリオンの第４段部は、前記ガードル平面と３０°の最小の角度を形成している請求項１の混合カットされた宝石。
【請求項４５】
混合カットされた宝石であって、
ブリリアントカットクラウンと、
ステップカットパビリオンとを備えていて、前記ステップカットパビリオンは少なくとも２つの段部を有している混合カットされた宝石。
【請求項４６】
宝石は、前記ガードルの幅の約６３％から６７％の全体の深さを有している請求項１の混合カットされた宝石。
【請求項４７】
宝石は、前記ガードルの幅の６５％の全体の深さを有している請求項１の混合カットされた宝石。
【請求項４８】
前記主クラウンファセットの各頂点は、前記テーブルを通してみる場合に前記第１段部ファセット接合部と整列されている請求項２９の混合カットされた宝石。
【請求項４９】
前記ガードルと前記主コーナー第１段部ファセットとは、パビリオン角度を形成し、
前記パビリオン側部コーナーファセット角度は、１／２°から１°小さいパビリオン角度に等しくて、
前記パビリオン側部第１段部ファセットは、１°から２°小さいパビリオン角度に等しい請求項２２の混合カットされた宝石。
【請求項５０】
前記主クラウンファセットと前記ガードルは、クラウン角度を形成し、
前記各上部ガードル角度は、前記クラウン角度プラス２°に等しくて、
前記各スターファセット角度は、１°小さい前記クラウン角度に等しい請求項２９の混合カットされた宝石。
【請求項５１】
前記ガードルと前記主コーナー第１段部ファセットは、パビリオン角度を形成し、
前記第２段部パビリオン側部ファセット角度は、１０°小さい前記パビリオン角度に等しく、
前記第２段部パビリオンコーナーファセット角度は、１０°小さい前記パビリオン角度に等しい請求項２２の混合カットされた宝石。
【請求項５２】
前記ガードルと前記主コーナー第１段部ファセットは、パビリオン角度を形成し、
前記第３段部パビリオン側部ファセット角度は、２０°小さい前記パビリオン角度に等しく、
前記第３段部パビリオンコーナーファセット角度は、２０°小さい前記パビリオン角度に等しい請求項２２の混合カットされた宝石。
【請求項５３】
前記第４段部は、前記ガードルと少なくとも３０°の角度を形成する請求項１の混合カットされた宝石。
【請求項５４】
ガードルと、
前記ガードルに隣接して位置されたクラウンと、
前記クラウンに対向する前記ガードルに隣接して位置されたパビリオンとを備え、
前記パビリオンは、第１段部と第２段部を有し、
前記第１段部は、前記ガードルに隣接し、前記第２段部より多くのファセットを備える宝石。
【請求項５５】
ガードルと、
前記ガードルに隣接して位置されたクラウンと、
前記クラウンに対向する前記ガードルに隣接して位置されたパビリオンとを備え、
前記パビリオンは、３以上の部段を有し、
前記３以上の部段は、前記ガードルに隣接している第１部段を備え、
前記第１部段は、ファセットと前記残りの部段より深い深さを有し、
前記残りの部段は、ファセットと前記同じ深さを備え、
前記第１段部は、前記残りの段部の一方より多くのファセットを有する宝石。